Podtech/llm-jp-corpus-v4-ja_patent huggingface dataset:
【手続補正書】
【提出日】令和1年10月3日(2019.10.3)
【手続補正１】
【補正対象書類名】特許請求の範囲
【補正対象項目名】全文
【補正方法】変更
【補正の内容】
【特許請求の範囲】
【請求項１】
１又は複数のフレキシブル高圧流体クリーニングランスホース用の巻取りドラム装置であって、
ベースと、
回転スイベルを介して前記ベースから回転自在に支持された中空巻取りドラムアセンブリであって、前記ドラムアセンブリは、中空円筒状シェルを含んでおり、前記シェルは、底板と、円筒状側壁と、高圧流体供給接続部と、複数のフレキシブルランスホースの各々の端部を前記高圧流体供給接続部に接続するために前記シェルの底板に配置されたマニホールドとを有している、中空巻取りドラムアセンブリと、
前記シェルの側壁の外側で、前記側壁を横切って前記ベースから延びる支持アームと、
前記巻取りドラムアセンブリにフレキシブルランスホースを出し入れするのを案内するために、前記支持アームによって支持された１本以上のガイドチューブと、
を備える、巻取りドラム装置。
【請求項２】
前記ベースは、前記スイベルの一部を受け入れる中央ソケットと、前記ソケットを支持する３つ以上の脚部のセットとを含む、請求項１に記載の装置。
【請求項３】
前記高圧流体供給接続部は、前記ソケットに装着された前記スイベルのステムに固定されている、請求項１に記載の装置。
【請求項４】
前記巻取りドラムのシェルは、前記底板に平行な周縁を有する、請求項１に記載の装置。
【請求項５】
前記シェル内で前記スイベルを前記マニホールドに接続する逆Ｕ字状チューブを更に備える、請求項１に記載の装置。
【請求項６】
前記スイベルは、前記ベースのソケットに保持されるように構成されたステムを形成するハウジング内にあって、ベアリングで支持された管状シャフトを備える、請求項５に記載の装置。
【請求項７】
前記底板は、前記スイベルの管状シャフトに固定されたハブを有する、請求項６に記載の装置。
【請求項８】
前記ベースは、前記スイベルの一部を受け入れる中央ソケットと、前記ソケットから径方向に延びる複数の脚部とを有し、前記支持アームは、前記ドラムアセンブリの円筒状シェルに接するように前記１本以上のガイドチューブを位置決めする、請求項１に記載の装置。
【請求項９】
前記スイベルは、前記ドラムアセンブリの底板上のハブに固定された管状シャフトを有しており、逆Ｕ字状チューブが、前記管状シャフトから軸方向に且つ前記底板に固定された前記マニホールドへと径方向に延びている、請求項８に記載の装置。
【請求項１０】
前記ハブは、円錐台形状を有する請求項８に記載の装置。
【請求項１１】
フレキシブルランス駆動装置との間で１又は複数の高圧洗浄流体ホースを受け入れ、格納し、送り出すための巻取りドラム装置であって、
中心ソケットから放射状に広がる３つ以上の脚部と、前記３つ以上の脚部の１つから延びる支持アームとを有するベースと、
回転スイベルを介して前記ベースから回転自在に支持された中空巻取りドラムアセンブリであって、中空の円筒状シェルを含んでおり、前記シェルは、中央ハブを有する底板と一体である円筒状の側壁と、前記底板に平行であり、前記側壁周りにある環状周縁と、前記シェルの底板に固定されており、複数のフレキシブルランスホースの各々の一端を前記スイベルを通して高圧流体供給コネクタに接続するマニホールドとを有する、中空巻取りドラムアセンブリと、
前記支持アームによって保持されており、前記円筒状シェルに接するように向けられた１本以上のガイドチューブと、
を含む、巻取りドラム装置。
【請求項１２】
前記高圧流体供給接続部は、前記ソケットに装着された前記スイベルのステムに固定されている、請求項１１に記載の装置。
【請求項１３】
前記シェル内で前記スイベルを前記マニホールドに接続する逆Ｕ字状チューブを更に備える、請求項１１に記載の装置。
【請求項１４】
前記スイベルは、前記ベースのソケット内に保持されるように構成されたステムを形成いるハウジング内にあって、ベアリングで支持された管状シャフトを備えている、請求項１３に記載の装置。
【請求項１５】
前記シャフトは、前記逆Ｕ字状チューブの一端に固定されている、請求項１４に記載の装置。
【請求項１６】
前記底板は、前記スイベルの前記管状シャフトに固定されたハブを有する、請求項１４に記載の装置。
【請求項１７】
前記スイベルは、前記ドラムアセンブリの底板上のハブに固定された管状シャフトを有しており、逆Ｕ字状チューブが、前記管状シャフトから軸方向に且つ前記底板に固定されたマニホールドへと径方向に延びている、請求項１１に記載の装置。
【請求項１８】
前記ハブは、円錐台形状を有する、請求項１７に記載の装置。
【請求項１９】
高圧フレキシブルランスクリーニング装置であって、
清掃する導管の内外に１本以上のフレキシブルランスホースを移動させる複数の駆動ローラを作動させる空気式駆動モータと、
フレキシブルランスホースの各々を前記駆動装置との間で受け入れ、格納し、送り出すための巻取りドラム装置と、
を備えており、前記ドラム装置は、
中心ソケットから放射状に広がる３つ以上の脚部と、前記３つ以上の脚部の１つから延びる支持アームとを有するベースと、
回転スイベルを介して前記ベースから回転自在に支持された中空巻取りドラムアセンブリであって、中空の円筒状シェルを含んでおり、前記シェルは、中央ハブを有する底板と一体である円筒状の側壁と、前記底板に平行であり、前記側壁周りにある環状周縁と、前記シェルの底板に固定されており、複数のフレキシブルランスホースの各々の一端を前記スイベルを通して高圧流体供給コネクタに接続するマニホールドとを有する、中空巻取りドラムアセンブリと、
前記支持アームによって保持されており、前記円筒状シェルに接するように向けられた１本以上のガイドチューブと、
前記ドラムアセンブリと前記駆動モータの間で前記複数のランスホースの経路を閉じ込めるために、前記１本以上のガイドチューブと前記駆動モータの間に接続されるように構成された保護スリーブスナウトと、
を備えている、高圧フレキシブルランスクリーニング装置。
【請求項２０】
前記高圧流体供給接続部は、前記ソケットに装着された前記スイベルのステムに固定されている、請求項１９に記載の装置。
【手続補正書】
【提出日】令和1年10月10日(2019.10.10)
【手続補正１】
【補正対象書類名】特許請求の範囲
【補正対象項目名】全文
【補正方法】変更
【補正の内容】
【特許請求の範囲】
【請求項１】
プライマーを使用して、カルボニル基を含有する少なくとも１つのポリマーに基づくプラスチック材料にポリオレフィンプラスチック材料を溶接する方法であって、プライマーは、該プライマーのポリマーの割合に基づき、少なくとも２０重量％の、無水マレイン酸単位又は無水マレイン酸誘導体単位を含んでなる少なくとも１つのポリマーを含有する、方法。
【請求項２】
ポリオレフィンプラスチック材料は、ポリエチレンプラスチック材料、特にＨＤポリエチレン、ＭＤポリエチレン、ＬＤポリエチレン、ＵＨＭＷポリエチレン又はＬＬＤポリエチレンプラスチック材料、及びポリプロピレンプラスチック材料の群から選択されることを特徴とする、請求項１に記載の溶接方法。
【請求項３】
カルボニル基を含有する少なくとも１つのポリマーに基づくプラスチック材料は、ポリエステルプラスチック材料、特にポリテレフタル酸エステルプラスチック材料又はポリアミドプラスチック材料から選択されることを特徴とする、請求項１又は２に記載の溶接方法。
【請求項４】
プライマーの少なくとも１つのポリマーは、少なくとも１つの無水マレイン酸モノマー、少なくとも１つのアクリレートモノマー及び／又はα−オレフィンモノマーのコポリマー、並びに無水マレイン酸でグラフト化されたポリオレフィンの群から選択されることを特徴とする、請求項１〜３のいずれかに記載の溶接方法。
【請求項５】
プライマーの少なくとも１つのポリマーは、該ポリマーに基づいて、０．０１〜３５重量％、特に０．０２〜２５重量％、好ましくは０．０５〜２０重量％、特に好ましくは０．０５〜１５重量％の無水マレイン酸含有量を有することを特徴とする、請求項１〜４のいずれかに記載の溶接方法。
【請求項６】
プライマーの少なくとも１つのポリマーは、５，０００〜２，０００，０００ｇ／ｍｏｌ、特に５０，０００〜１，０００，０００ｇ／ｍｏｌ、好ましくは１００，０００〜５００，０００ｇ／ｍｏｌの範囲の重量平均分子量Ｍｗを有することを特徴する、請求項１〜５のいずれかに記載の溶接方法。
【請求項７】
プライマーは、第１ポリマーに加え、溶接される２つのプラスチック材料の少なくとも１つと相容する少なくとも１つのさらなるポリマー、好ましくは少なくとも１つのポリアミドポリマー及び／又は少なくとも１つのポリオレフィンポリマーを含有することを特徴とする、請求項１〜６のいずれかに記載の溶接方法。
【請求項８】
プライマーは少なくとも１つの溶媒、特に水を含有し、該プライマーは好ましくは、各場合においてプライマーの総重量に基づき、１０〜９５重量％、特に５０〜８５重量％、特に好ましくは６０〜８０重量％の溶媒含有量を有することを特徴とする、請求項１〜７のいずれかに記載の溶接方法。
【請求項９】
請求項１〜８のいずれかに記載の溶接方法を用いて製造された物体。
【請求項１０】
カルボニル基を含有する少なくとも１つのポリマーに基づくプラスチック材料に、ポリオレフィンプラスチック材料を溶接するための、請求項１〜８のいずれかに記載のプライマーの使用。
【手続補正書】
【提出日】令和1年9月10日(2019.9.10)
【手続補正１】
【補正対象書類名】明細書
【補正対象項目名】００１２
【補正方法】変更
【補正の内容】
【００１２】
ＨＶＡＣシステムを損傷またはシャットダウンすることなくＨＶＡＣシステムにおいて見られる冷却コイルをクリーニングかつ衛生化可能であることは、エネルギー消費を顕著に低下させ、ＣＯ２アウトプットを低下させ、かつ人間健康を多いに改善するための、これまでにない新しいアプローチを提供する解決策である。今日までに、このプロセスは、市販のエアハンドラーの効率を最大で８０％向上させることが示され、それはコイル内の深部に蓄積するファウリングデブリを除去することにより実現されてきた。ＨＶＡＣシステムは、それから、より少ないエネルギー負荷で、エアハンドラー通じて移動する空気の容積を大いに改善することもまたできる。さらに、以下に概要が述べられることになるイノベーションは、適用し取り入れるのが容易である大規模化可能な解決策であり、高価な新しい資本的機器に投資する昼陽性を排除し、またその有益な結果をすぐにもたらす。本イノベーションは、あらゆるサイズまたは種類のＨＶＡＣシステムにも適用可能であり、またＨＶＡＣシステムが押すまたは引くタイプのシステムである場合に等しく効果的である、単一プラットフォーム性の解決策である。これは、エアハンドラー内のブロワーが、コイルを通じて空気流の空気を押している、または反対吸引により空気流の空気を引き抜いていることを意味する。さらに、本開示の発明は、冷却コイル内の深部でほぼ完璧な表面積カバー率をもたらすための手段を提供する。その手段は、現在では到達不可能である医療機関内のただ一つの領域（コイル内の深部）を衛生化かつ消毒することにより抗生物質耐性微生物危機を迅速かつ効果的に軽減するために、全てのバオフィルムを除去し、またＨＶＡＣシステム内の深部でみられるあらゆる細菌、真菌、及び他の微生物を排除し、かつ医療機関に非常に有効で費用効果がある解決策を提供する。最後に本イノベーションは、真に持続可能な解決策である。以下で開示されることになるプロセスは、従来型の高圧洗浄の方法よりもおよそ９５％少ない水を使用し、毒性のある、危険な、または損傷を与える化学物質は使用されない。さらに、この解決策は低圧力を使用し、このことは、開示のプロセスがＨＶＡＣコイルにいかなる損傷を与えることも不可能にさせる。
この出願の発明に関連する先行技術文献情報としては、以下のものがある（国際出願日以降国際段階で引用された文献及び他国に国内移行した際に引用された文献を含む）。
（先行技術文献）
（特許文献）
（特許文献１）  米国特許第５，５０９，９７２号明細書
（特許文献２）  米国特許第６，２７６，４５９号明細書
（特許文献３）  米国特許第６，０２７，５７２号明細書
（特許文献４）  米国特許第７，８４１，３５１号明細書
（特許文献５）  米国特許第７，８８７，６３９号明細書
（特許文献６）  国際公開第２００２／０９４９７３号
【手続補正書】
【提出日】令和1年6月11日(2019.6.11)
【手続補正１】
【補正対象書類名】特許請求の範囲
【補正対象項目名】全文
【補正方法】変更
【補正の内容】
【特許請求の範囲】
【請求項１】
空気を加湿及び／又は浄化する装置であって、
回転フィルタと、
該回転フィルタを通じて空気を通すファンと、
貯槽とを含み、
前記回転フィルタの回転速度及び前記ファンの設定は、湿度センサからのフィードバックによって制御され、
前記回転フィルタの回転速度及び前記ファンの設定は、ガス状汚染物質センサからのフィードバックによって更に制御される、
装置。
【請求項２】
前記回転フィルタは、１つ又はそれよりも多くの親水性材料を含む、請求項１に記載の装置。
【請求項３】
前記回転フィルタは、セラミック、親水性ポリマ材料、親水性繊維材料、又は親水性紙のうちの１つ又はそれよりも多くを含む、請求項２に記載の装置。
【請求項４】
前記回転フィルタは、少なくとも０．１ｍ２の空気との表面積を有する、請求項１に記載の装置。
【請求項５】
前記回転フィルタは、波形構造又はハニカム構造を有し、前記波形構造又はハニカム構造は、複数の開放通路を含む、請求項１に記載の装置。
【請求項６】
前記開放通路は、少なくとも１０ｍｍの長さ及び／又は０．５〜２ｍｍの間の孔直径を有する、請求項５に記載の装置。
【請求項７】
前記開放通路の壁は、濾過溶液を透過させ、１ｍｍ以下の厚さである、請求項５に記載の装置。
【請求項８】
前記ガス状汚染物質センサによって検知されるガス状汚染物質のレベルが予め設定されるレベルより上であるならば、前記回転フィルタは回転するように制御される、請求項１に記載の装置。
【請求項９】
いつ前記貯槽を充填すべきかを示すユーザ注意喚起機構を更に含み、該ユーザ注意喚起機構は、前記ガス状汚染物質センサによって検知されるガス状汚染物質が予め設定される時間の量に亘って予め設定されるレベルより上であるときに、アクティブ化される、請求項１に記載の装置。
【請求項１０】
前記回転フィルタは、化学吸着フィルタである、請求項１乃至９のうちのいずれか１項に記載の装置。
【請求項１１】
前記湿度センサから受信する周囲相対湿度レベルが予め決定される湿度値よりも下であるとき、前記回転フィルタは回転するように制御され、前記ファンは空気流を生成するように制御される、請求項１に記載の装置。
【請求項１２】
前記湿度センサから受信する周囲相対湿度レベルが予め決定される湿度値よりも上であるとき及び前記ガス状汚染物質センサから受信するガス状汚染物質レベルが予め決定されるガス状汚染物質レベルより上であるとき、前記回転フィルタは断続的に回転するように制御され、前記ファンは空気流を継続的に生成するように制御される、請求項１に記載の装置。
【請求項１３】
前記湿度センサから受信する周囲相対湿度レベルが予め定められる湿度値より上であるとき及び前記ガス状汚染物質センサから受信するガス状汚染物質濃度レベルが予め決定されるガス状汚染物質レベルよりも下であるとき、前記ファン及び前記回転フィルタの回転は非アクティブ化されるように制御される、請求項１に記載の装置。
【請求項１４】
前記回転フィルタは、前記貯槽内に部分的に配置される、請求項１に記載の装置。
【請求項１５】
空気を浄化及び／又は加湿する方法であって、
回転フィルタを回転させ、それにより、前記回転フィルタの上に濾過溶液を沈着させ、且つ該沈着した濾過溶液を前記回転フィルタの内部を通じて分散させるステップと、
前記回転フィルタを通じて空気を通すステップと、
周囲相対湿度に依存して前記回転フィルタの回転速度及び前記回転フィルタを通じる空気流を制御するステップとを含み、
前記回転フィルタの回転速度及び前記回転フィルタを通じる空気流を制御するステップは、周囲空気中のガス状汚染物質濃度に更に依存する、
方法。
【手続補正書】
【提出日】令和1年6月4日(2019.6.4)
【手続補正１】
【補正対象書類名】特許請求の範囲
【補正対象項目名】全文
【補正方法】変更
【補正の内容】
【特許請求の範囲】
【請求項１】
セルロースをナノセルロースに変換する方法であって、
ａ．セルロース成分を含む供給原料を、実質的にプロトンを含まない無機溶融塩の溶媒媒体と接触させて、それによって前記供給原料の前記セルロース成分を溶解させるステップと、
ｂ．前記無機溶融塩の溶媒媒体に貧溶媒を添加して、それによってナノセルロースを沈殿させるステップと、
ｃ．前記無機溶融塩の溶媒媒体から前記ナノセルロースを分離するステップと
を含み、
前記無機溶融塩の溶媒媒体がプロトン捕捉剤を含む、方法。
【請求項２】
前記プロトン捕捉剤が金属酸化物又は金属水酸化物である、請求項１に記載の方法。
【請求項３】
前記無機溶融塩の溶媒媒体がＺｎＣｌ２の水和物を含む、請求項１又は２に記載の方法。
【請求項４】
前記無機溶融塩の溶媒媒体がＺｎＣｌ２．４Ｈ２Ｏを含む、請求項３に記載の方法。
【請求項５】
前記プロトン捕捉剤がＺｎＯを含む、請求項１〜４のいずれか一項に記載の方法。
【請求項６】
前記無機溶融塩の溶媒媒体が、ＺｎＣｌ２．４Ｈ２Ｏ中のＺｎＯの飽和溶液を含む、請求項１〜５のいずれか一項に記載の方法。
【請求項７】
前記貧溶媒が、（ｉ）水；１〜６個の炭素原子を有するアルカノール；及びこれらの混合物からなる群から選択される、請求項１〜６のいずれか一項に記載の方法。
【請求項８】
前記無機溶融塩の溶媒媒体を再生するさらなるステップを含む、請求項１〜７のいずれか一項に記載の方法。
【請求項９】
前記無機溶融塩の溶媒媒体を再生する前記ステップが、前記貧溶媒を減圧において蒸発させるステップを含む、請求項８に記載の方法。
【請求項１０】
前記無機溶融塩の溶媒媒体を再生する前記ステップが、溶解された反応生成物をそれから除去するステップを含む、請求項８又は９に記載の方法。
【請求項１１】
溶解された反応生成物が、抽出、吸着、又はこれらの組合せによって除去される、請求項１０に記載の方法。
【請求項１２】
ステップａが、２０〜１２０℃、好ましくは７０〜１００℃の範囲の温度で実施される、請求項１〜１１のいずれか一項に記載の方法。
【請求項１３】
ステップａが２０〜１００分間実施される、請求項１〜１２のいずれか一項に記載の方法。
【請求項１４】
請求項１〜１３のいずれか一項に記載の方法によって得られる、２００〜８００個のモノマー単位を含むセルロースオリゴマー材料。
【手続補正書】
【提出日】令和1年10月18日(2019.10.18)
【手続補正１】
【補正対象書類名】特許請求の範囲
【補正対象項目名】全文
【補正方法】変更
【補正の内容】
【特許請求の範囲】
【請求項１】
５００ｎｍ未満の平均粒径を有するフルオロプラスチック粒子と、
非晶質フルオロポリマーであって、
式Ｉで表されるセグメント：
−ＣＦ（Ｒｆ）−（ＣＸ２）ｎ−（ＣＸ２ＣＸＲ）ｍ−Ｏ−Ｒ”ｆ−Ｏｋ−（ＣＸＲ’ＣＸ２）ｐ−（ＣＸ２）ｑ−ＣＦ（Ｒ’ｆ）      （Ｉ）；又は
式ＩＩＩで表される末端セグメント：
Ｒｆ−ＣＦ（Ｉ）−（ＣＸ２）ｎ−（ＣＸ２ＣＸＲ）ｍ−Ｏ−Ｒ”ｆ−Ｏｋ−（ＣＸＲ’ＣＸ２）ｐ−（ＣＸ２）ｑ−ＣＦ（Ｒ’ｆ）      （ＩＩＩ）
［式中、
各Ｘは、独立してＦ、Ｈ、又はＣｌであり、
Ｒｆ及びＲ’ｆは、それぞれ独立して、Ｆであるか又は１〜３個の炭素原子を有する一価のペルフルオロアルキルであり、
Ｒ及びＲ’は、それぞれ独立して、Ｆであるか又は１〜３個の炭素原子を有する部分フッ素化又は全フッ素化アルキルであり、
Ｒ”ｆは、１〜８個の炭素原子を有する二価のフルオロアルキレン、又は１〜２０個の炭素原子と少なくとも１つのエーテル結合とを有する二価のフッ素化アルキレンエーテルであり、
ｋは０又は１であり、ｎ、ｍ、ｐ、及びｑは、それぞれ独立して０〜５の整数であり、ただしｋが０のとき、ｎ＋ｍは少なくとも１であり、ｐ＋ｑは少なくとも１である］
のうちの少なくとも１つを含む非晶質フルオロポリマーと、
を含み、前記非晶質フルオロポリマーが、フルオロエラストマーガムである、組成物。
【請求項２】
前記非晶質フルオロポリマーが、
（ａ）次式ＩＩのフッ素化ジヨードエーテル化合物：
Ｒｆ−ＣＦ（Ｉ）−（ＣＸ２）ｎ−（ＣＸ２ＣＸＲ）ｍ−Ｏ−Ｒ”ｆ−Ｏｋ−（ＣＸＲ’ＣＸ２）ｐ−（ＣＸ２）ｑ−ＣＦ（Ｉ）−Ｒ’ｆ      （ＩＩ）
［式中、
各Ｘは、独立してＦ、Ｈ、又はＣｌであり、
Ｒｆ及びＲ’ｆは、それぞれ独立して、Ｆであるか又は１〜３個の炭素原子を有する一価のペルフルオロアルキルであり、
Ｒ及びＲ’は、それぞれ独立して、Ｆであるか又は１〜３個の炭素原子を有する部分フッ素化又は全フッ素化アルキルであり、
Ｒ”ｆは、１〜８個の炭素原子を有する二価のフルオロアルキレン、又は１〜２０個の炭素原子と少なくとも１つのエーテル結合とを有する二価のフッ素化アルキレンエーテルであり、
ｋは０又は１であり、ｎ、ｍ、ｐ、及びｑは、それぞれ独立して０〜５の整数であり、ただしｋが０のとき、ｎ＋ｍは少なくとも１であり、ｐ＋ｑは少なくとも１である］と、
（ｂ）フッ素化オレフィンと、
を含む構成成分の反応生成物である、請求項１に記載の組成物。
【請求項３】
前記非晶質フルオロポリマーが、フッ素化オレフィン単位と、（ａ）Ｂｒ硬化部位、（ｂ）Ｉ硬化部位、（ｃ）ニトリル硬化部位、又は（ｄ）炭素−炭素二重結合のうちの少なくとも１つを含む単位と、を含む非晶質コポリマーである、請求項１又は２に記載の組成物。
【請求項４】
前記非晶質フルオロポリマーが、フッ素化オレフィンと、フッ素化ビニルエーテル又はフッ素化アリルエーテルのうちの少なくとも１つと、の非晶質コポリマーである、請求項１〜３のいずれか一項に記載の組成物。
【請求項５】
前記フルオロプラスチック粒子が、フッ素化オレフィンのフルオロプラスチックポリマー又はフルオロプラスチックコポリマーを含む、請求項１〜４のいずれか一項に記載の組成物。
【請求項６】
前記フルオロプラスチック粒子が、前記フッ素化オレフィンと、フッ素化ビニルエーテル又はフッ素化アリルエーテルのうちの少なくとも１つとのフルオロプラスチックコポリマーを含む、請求項５に記載の組成物。
【請求項７】
前記フッ素化オレフィンが、テトラフルオロエチレンであり、前記フッ素化ビニルエーテルが、ペルフルオロ（メチルビニル）エーテル（ＰＭＶＥ）、ペルフルオロ（エチルビニル）エーテル（ＰＥＶＥ）、ペルフルオロ（ｎ−プロピルビニル）エーテル（ＰＰＶＥ−１）、ペルフルオロ−２−プロポキシプロピルビニルエーテル（ＰＰＶＥ−２）、ペルフルオロ−３−メトキシ−ｎ−プロピルビニルエーテル、ペルフルオロ−２−メトキシ−エチルビニルエーテル、又はＣＦ３−（ＣＦ２）２−Ｏ−ＣＦ（ＣＦ３）−ＣＦ２−Ｏ−ＣＦ（ＣＦ３）−ＣＦ２−Ｏ−ＣＦ＝ＣＦ２のうちの少なくとも１つを含む、請求項４又は６に記載の組成物。
【請求項８】
前記フルオロプラスチックコポリマーが、（ａ）Ｂｒ硬化部位、（ｂ）Ｉ硬化部位、（ｃ）ニトリル硬化部位、又は（ｄ）炭素−炭素二重結合のうちの少なくとも１つを含む単位を更に含む、請求項５〜７のいずれか一項に記載の組成物。
【請求項９】
前記組成物が、前記フルオロプラスチック粒子を含む第２のラテックスと、前記非晶質フルオロポリマーを含む第１のラテックスと、を含むラテックスブレンドである、請求項１〜８のいずれか一項に記載の組成物。
【請求項１０】
請求項１〜９のいずれか一項に記載の組成物とペルオキシドとの硬化反応の生成物を含む、硬化フルオロエラストマー。
【請求項１１】
請求項１０に記載の硬化フルオロエラストマーを含む、成形物品。
【手続補正書】
【提出日】令和1年9月25日(2019.9.25)
【手続補正１】
【補正対象書類名】明細書
【補正対象項目名】００３６
【補正方法】変更
【補正の内容】
【００３６】
第１形態３００では、サセプタ１２０は、予熱リング３２６の厚さＴ１に実質的に等しい厚さＴ１を含む。さらに、予熱リング３２６の表面３７８は、サセプタ１２０の表面１２９と実質的に同一平面上にある。第１形態３００では、隙間３２５は、サセプタ１２０の形態係数を増加させるために比較的大きく、その結果、ＳＯＩウエハのエッジとサセプタの縁との間の温度勾配を減少させ、ウエハのスリップを減少させる。
【手続補正２】
【補正対象書類名】図面
【補正対象項目名】図１
【補正方法】変更
【補正の内容】
【図１】
2018531323.tif 000001
【手続補正書】
【提出日】令和1年9月27日(2019.9.27)
【手続補正１】
【補正対象書類名】明細書
【補正対象項目名】００１５
【補正方法】変更
【補正の内容】
【００１５】
熱膨張性組成物は、本発明に必須の成分として少なくとも１種の多糖類を含む。多糖類は、好ましくは少なくとも１０個の単糖類分子がグリコシド結合により相互連結されている分子であると理解される。好ましい例は、セルロース、デンプン（アミロース及びアミロペクチン）、ペクチン、キチン、キトサン、グリコーゲン、カロース及びそれらの誘導体を含む。少なくとも１種のセルロース及び／又は少なくとも１種のデンプン、特にデンプンが熱膨張性組成物に含まれることが特に好ましい。
【手続補正２】
【補正対象書類名】明細書
【補正対象項目名】００２７
【補正方法】変更
【補正の内容】
【００２７】
アニオン基の例としては、カルボキシル基、ホスフェート基、サルフェート基、ボレート基、ホスホネート基、及びスルホネート基が挙げられる。
【手続補正３】
【補正対象書類名】明細書
【補正対象項目名】００２８
【補正方法】変更
【補正の内容】
【００２８】
特に好ましくはホスフェート基、ボレート基及びサルフェート基、及び中でもサルフェート基、特に硫酸との反応により生成されたサルフェート基である。特に好ましくはホスフェート基である。
【手続補正４】
【補正対象書類名】明細書
【補正対象項目名】００３３
【補正方法】変更
【補正の内容】
【００３３】
ホスフェート、サルフェート、ボレートの場合、対応するデンプン誘導体は、遊離無機酸、例えば、ホスフェートの場合はリン酸又はそのエステルを反応することにより得られる。
【手続補正５】
【補正対象書類名】明細書
【補正対象項目名】００５２
【補正方法】変更
【補正の内容】
【００５２】
特に好ましい発泡剤は、炭酸水素ナトリウム及び／又はクエン酸／クエン酸塩であり、その発泡剤は、非常に特に好ましくは炭酸水素ナトリウム及びクエン酸の混合物である。ＡＤＣＡ又はＯＢＳＨのような従来の発熱性発泡剤との比較により、この種の混合物は、わずか１２０〜１４０℃の非常に低い開始温度を有し、ＯＢＳＨは１４０〜１６０℃の開始温度を有し、ＡＤＣＡは亜鉛塩により活性化された場合に１６０〜１７０℃の開始温度を有し、不活性状態において２１０〜２２０℃の開始温度を有する。
【手続補正６】
【補正対象書類名】明細書
【補正対象項目名】０１２０
【補正方法】変更
【補正の内容】
【０１２０】
車両構造の分野において、車両が陰極浸漬塗料を硬化させるために炉を通過する場合に本発明の組成物は膨張することが特に有利であり、これにより個別の加熱工程を省くことができる。
【手続補正７】
【補正対象書類名】明細書
【補正対象項目名】０１２２
【補正方法】変更
【補正の内容】
【０１２２】
よって、熱膨張性組成物は、成形体、特に空洞を封止するバッフル部品を製造するために、すなわち車両中の空洞に挿入された後、加熱され同時に硬化されることにより膨張して空洞を可能な限り完全に封止する部品を製造するために特に適している。
【手続補正８】
【補正対象書類名】明細書
【補正対象項目名】０１２７
【補正方法】変更
【補正の内容】
【０１２７】
本発明の更なる主題は、本明細書に記載の熱組成物及び成形体を使用して、部材の空洞を封止及び充填するための、及び部材、特に中空の部材を強化又は補強させるための、及び可動部材を結合するための方法である。この方法は、好ましくは、本発明によるバッフル部品を空洞に導入した後、１１０℃以上の温度に加熱して熱膨張性組成物を膨張させ、空洞を封止する、部材の空洞を封止するための方法である。
【誤訳訂正書】
【提出日】令和1年9月19日(2019.9.19)
【誤訳訂正１】
【訂正対象書類名】特許請求の範囲
【訂正対象項目名】請求項３
【訂正方法】変更
【訂正の内容】
【請求項３】
前記スルトンは、以下の式を有する１つ以上の化合物から選択され、
【化１０】
2018531301.tif 000001
及び
【化１１】
2018531301.tif 000002
式中、Ｒ１８〜Ｒ２７は独立して、水素、（Ｃ１−Ｃ３）アルキル、ヒドロキシル、及びアセテート部分から選択される、請求項１又は２に記載の、電気めっき浴。
【誤訳訂正２】
【訂正対象書類名】明細書
【訂正対象項目名】００６１
【訂正方法】変更
【訂正の内容】
【００６１】
式中、Ｒ１８〜Ｒ２７は独立して、水素、（Ｃ１−Ｃ３）アルキル、ヒドロキシル、及びアセテート部分から選択される。好ましくは、Ｒ１８〜Ｒ２７は独立して、水素、メチル、エチル、及びヒドロキシルから選択される。より好ましくは、Ｒ１８、Ｒ１９、Ｒ２１、Ｒ２２、Ｒ２３、Ｒ２４、Ｒ２６及びＲ２７は水素であり、Ｒ２０及びＲ２５は独立して、水素及びヒドロキシルから選択される。 も好ましくは、Ｒ１８〜Ｒ２７は水素である。好ましくは、スルトンはＲ１８〜Ｒ２３が水素である構造（ＸＩ）である。
【手続補正書】
【提出日】令和1年7月18日(2019.7.18)
【手続補正１】
【補正対象書類名】特許請求の範囲
【補正対象項目名】全文
【補正方法】変更
【補正の内容】
【特許請求の範囲】
【請求項１】
液体中の異物粒子検出方法であって、
送信機により、液体で満たされた液体導管に向かって、異なる異物粒子の吸光度周波数と関連付けられることにより各々異なるパルスを含む放射の送信パルスを送信すること、
受信機により、前記複数の送信パルスの送信の結果として液体中を伝播した受信パルスを受信すること、
前記送信パルスと前記受信パルスを比較して、比較結果を提供すること、および、
前記比較結果に基づいて液体汚染を判定すること、を含む、方法。
【請求項２】
前記送信パルスが、少なくとも３つの異なる異物粒子の吸光度周波数と関連付けられることにより、互いに異なる少なくとも３つのパルスを含む、請求項１に記載の方法。
【請求項３】
前記送信パルスの強度を検出すること、および前記受信パルスの強度を検出することを含み、前記比較することが、前記送信パルスの前記強度と前記受信パルスの前記強度を比較することを含む、請求項１に記載の方法。
【請求項４】
前記送信パルスが、（ａ）７５０〜８２０ナノメートルの第１の波長範囲に対応する第１の周波数範囲内の周波数成分を含む１つまたは複数のパルス、および（ｂ）２８０〜２８５ナノメートルの第２の波長範囲に対応する第２の周波数範囲内の周波数成分を含む１つまたは複数のパルスを含む、請求項１に記載の方法。
【請求項５】
前記送信パルスが、（ａ）７５０〜８２０ナノメートルの第１の波長範囲に対応する第１の周波数範囲内の周波数成分を含む１つまたは複数のパルス、および（ｂ）４５０〜４５４ナノメートルの第３の波長範囲に対応する第３の周波数範囲内の周波数成分を含む１つまたは複数のパルスを含む、請求項１に記載の方法。
【請求項６】
前記送信パルスが、（ａ）７５０〜８２０ナノメートルの第１の波長範囲に対応する第１の周波数範囲内の周波数成分を含む１つまたは複数のパルス、（ｂ）２８０〜２８５ナノメートルの第２の波長範囲に対応する第２の周波数範囲内の周波数成分を含む１つまたは複数のパルス、および（ｃ）４５０〜４５４ナノメートルの第３の波長範囲に対応する第３の周波数範囲内の周波数成分を含む１つまたは複数のパルスを含む、請求項１に記載の方法。
【請求項７】
清浄液で前記液体導管を清浄にすることを含む、請求項１に記載の方法。
【請求項８】
流入口により前記液体導管に前記液体を供給すること、および流出口により前記流体導管から前記流体を出力することを含む、請求項１に記載の方法。
【請求項９】
前記流体導管が、少なくとも部分的に透明な内側の層、および反射型の外層を有する、請求項１に記載の方法。
【請求項１０】
前記流体導管が反射型の内側の層を有する、請求項１に記載の方法。
【請求項１１】
受信機により、前記受信パルスを受信することを含み、前記液体導管が透明パイプであり、前記受信機および前記送信機が前記透明パイプの第１および第２の側に光学的に結合され、前記第１および第２の側が互いに対向する、請求項１に記載の方法。
【請求項１２】
前記送信機が、前記透明パイプの前記第１の側の直前に配置された送信機レンズを備え、前記受信機が、前記透明パイプの前記第２の側の直後に配置された受信機レンズを備える、請求項１１に記載の方法。
【請求項１３】
前記送信機レンズに先行して送信機ビームスプリッタがあり、前記受信機レンズに先行して受信機ビームスプリッタがある、請求項１２に記載の方法。
【請求項１４】
送信ステップ、受信ステップ、比較ステップ、および前記液体汚染の判定ステップの複数の繰り返しを実施することを含む、請求項１に記載の方法。
【請求項１５】
液体中の異物粒子検出のための異物粒子検出システムであって、液体導管と、液体で満たされた液体導管に向かって、異なる異物粒子の吸光度周波数と関連付けられることにより各々異なるパルスを含む放射の送信パルスを送信するように構成された送信機と、前記複数の送信パルスの送信の結果として液体中を伝播した受信パルスを受信するように構成された受信機と、前記送信パルスと前記受信パルスを比較して、比較結果を提供し、前記比較結果に基づいて液体汚染を判定するように構成されたコントローラとを備える、異物粒子検出システム。
【手続補正書】
【提出日】令和1年7月26日(2019.7.26)
【手続補正１】
【補正対象書類名】明細書
【補正対象項目名】００１６
【補正方法】変更
【補正の内容】
【００１６】
迅速で感度の高い現地の水質モニタリングも、廃水放出が、農業、市政、および産業流出要件および廃水管理の重要段階における契約上または環境上の制限を満たしていることを確認するために重要である。
この出願の発明に関連する先行技術文献情報としては、以下のものがある（国際出願日以降国際段階で引用された文献及び他国に国内移行した際に引用された文献を含む）。
（先行技術文献）
（特許文献）
（特許文献１）  米国特許出願公開第２００３／００５８４５０号明細書
（特許文献２）  米国特許出願公開第２００５／０１１２０２３号明細書
（特許文献３）  米国特許出願公開第２０１４／００７００７８号明細書
（特許文献４）  国際公開第２０１２／０８８０５４号
（特許文献５）  米国特許第５，５５２，２９７号明細書
（特許文献６）  米国特許第７，６５２，２６７号明細書
（特許文献７）  米国特許出願公開第２００８／０１６６７９２号明細書
【手続補正書】
【提出日】令和1年10月25日(2019.10.25)
【手続補正１】
【補正対象書類名】特許請求の範囲
【補正対象項目名】全文
【補正方法】変更
【補正の内容】
【特許請求の範囲】
【請求項１】
ポリヌクレオチドを含む発現カセットであって、前記ポリヌクレオチドが、酵母のメタノール誘導性プロモーター配列、改変アルファシグナル遺伝子配列、血栓特異的ストレプトキナーゼをコードする核酸配列及び転写終了因子配列を含み、前記血栓特異的ストレプトキナーゼをコードする核酸配列が、配列番号:2、配列番号:4、配列番号:6及び配列番号:8から成る群から選択されるヌクレオチド配列と少なくとも85%の同一性を有することを特徴とする発現カセット。
【請求項２】
前記血栓特異的ストレプトキナーゼヌクレオチド配列をコードする核酸配列が、配列番号:2、配列番号:4、配列番号:6及び配列番号:8から成る群から選択される、請求項１に記載の発現カセット。
【請求項３】
前記改変アルファシグナル遺伝子配列が、配列番号:10に示されるとおりである、請求項１に記載の発現カセット。
【請求項４】
請求項１〜３のいずれか1項に記載の発現カセットを含む発現ベクター。
【請求項５】
前記発現ベクターが、配列番号:2、配列番号:4、配列番号:6、配列番号:8、配列番号:23、配列番号:26及び配列番号:28から成る群から選択されるポリヌクレオチド配列と少なくとも85%の同一性を有するポリヌクレオチドを含む、請求項４に記載の発現ベクター。
【請求項６】
前記血栓特異的ストレプトキナーゼ（CSSK）をコードする核酸配列が、（a）ストレプトコッカス・エクィシミリスによって生成されるストレプトキナーゼ（SK）、又はプラスミノーゲンを活性化する能力を有するSKの誘導体；及び（b）ヒトフィブロネクチンのフィブリン結合ドメイン4及び5（FBD4,5）、又はフィブリン親和性を有するFBD4,5の誘導体を含む、請求項１に記載の発現カセットを発現する形質転換酵母細胞。
【請求項７】
請求項１又は２に記載の改変アルファシグナル配列を発現する形質転換酵母細胞であって、血栓特異的ストレプトキナーゼ（CSSK）を細胞外に生成することを特徴とする形質転換酵母細胞。
【請求項８】
配列番号:1、配列番号:3、配列番号:5、配列番号:7、配列番号:24、配列番号:25、配列番号:27及び配列番号:29から成る群から選択されるポリペプチド配列と少なくとも85%の同一性を有するポリペプチドをコードする、請求項４に記載の発現ベクター。
【請求項９】
配列番号:4、配列番号:6、配列番号:8、配列番号:23、配列番号:26及び配列番号:28から成る群から選択される核酸配列を有することを特徴とするポリヌクレオチド。
【請求項１０】
前記CSSKが、
a．配列番号:11に示されるポリペプチド配列と少なくとも85%の同一性を有するストレプトキナーゼ配列、及び
b．前記ストレプトキナーゼ配列のN-末端及びC-末端の各々に配列番号:22に示されるポリペプチド配列と少なくとも85%の同一性を有するポリペプチド配列、
を含む、請求項６に記載の形質転換酵母細胞。
【請求項１１】
前記CSSKが、配列番号:2、配列番号:4、配列番号:6及び配列番号:8から成る群から選択されるポリヌクレオチド配列によってコードされる、請求項６に記載の形質転換酵母細胞。
【請求項１２】
前記酵母が、ピキア属（Pichia）、ハンセヌラ属（Hansenula）、トルロプシス属（Torulopsis）及びカンジダ属（Candida）の種から成る群から選択されるメチル栄養性酵母である、請求項６に記載の形質転換酵母細胞。
【請求項１３】
前記酵母が、ピキア・パストリス（Pichia pastoris）、ピキア・メタノリカ（Pichia methanolica）、ピキア・アノモラ（Pichia anomola）、ハンセヌラ・ポリモルファ（Hansenula polymorpha）、及びカンジダ・ボイディニイ（Candida boidinii）から成る群から選択される、請求項１２に記載の形質転換酵母細胞。
【請求項１４】
前記酵母が、ピキア・パストリスである、請求項１３に記載の形質転換酵母細胞。
【請求項１５】
前記酵母が、アクセッション番号MTCC25071を有するピキア・パストリスである、請求項１４に記載の形質転換酵母細胞。
【請求項１６】
グリコシル化され、80,515 Daの分子量を有し、更に細胞外態様によって分泌される、請求項10〜15のいずれか1項に記載の形質転換酵母細胞によって生成される血栓特異的ストレプトキナーゼ。
【請求項１７】
請求項１６に記載の血栓特異的ストレプトキナーゼ及び医薬的に許容できる担体を含むことを特徴とする組成物。
【請求項１８】
心筋梗塞、血管血栓症、肺塞栓症、脳卒中、急性虚血性卒中、狭心症、一過性虚血性発作、深部静脈血栓症、冠状動脈介入処置に続く血栓性再閉塞、末梢血管血栓症、心不全、シンドロームX及び少なくとも1つの冠状動脈の狭窄から成る群から選択される疾患の治療又は予防を必要とする対象における前記疾患を治療又は予防するための医薬組成物であって、請求項１６に記載の血栓特異的ストレプトキナーゼ含むことを特徴とする医薬組成物。
【請求項１９】
酵母細胞をスクリーニングして血栓特異的ストレプトキナーゼを産生する形質転換酵母細胞を識別する方法であって、以下の工程、
（a）少なくとも1つの酵母細胞を請求項５に記載のベクターで形質転換して、形質転換酵母細胞を入手する工程；
（b）少なくとも1つの形質転換酵母細胞をBMMY培地培養液でメタノールとともに培養して、CSSKタンパク質の発現を誘導する工程；
（c）前記培地培養液を前記形質転換酵母細胞から分離して、上清を入手する工程；
（d）前記上清をプラスミノーゲン活性化について試験する工程；及び
（e）前記細胞の上清でプラスミノーゲン活性化を検出することによって、血栓特異的ストレプトキナーゼを産生する形質転換酵母細胞を識別する工程、
を含むことを特徴とする方法。
【請求項２０】
工程（d）のプラスミノーゲン活性化試験が、前記上清とプラスミノーゲン及び発色団と組合せ、そして405nmにおける光の吸収の変化を検出することにより行われる、請求項１９に記載の方法。
【請求項２１】
前記プラスミノーゲン活性化が、既知量のCSSKを示す参照値に対して測定される、請求項２０に記載の方法。
【請求項２２】
工程（e）で識別された細胞のCSSK生成をSDS-PAGE分析によって確認する工程を更に含む、請求項１９に記載の方法。
【請求項２３】
血液血栓の位置指向分解のための医薬組成物であって、請求項１６に記載の血栓特異的ストレプトキナーゼを含むことを特徴とする医薬組成物。
【手続補正書】
【提出日】令和1年9月19日(2019.9.19)
【手続補正１】
【補正対象書類名】特許請求の範囲
【補正対象項目名】全文
【補正方法】変更
【補正の内容】
【特許請求の範囲】
【請求項１】
第１の患者のパルスオキシメータデータを、以前にデータベースに保存された第２の患者のパルスオキシメータデータと比較するシステムであって、前記システムは、パルスオキシメータデバイスと、遠隔サーバと、クラウドネットワークとを含み、
前記パルスオキシメータデバイスは、
パルスオキシメータ患者データベースが保存されたメモリと、
電源と、
通信モジュールと、
１つ又は複数の発光ダイオード（ＬＥＤ）と、
警報発生素子と、
第１の患者のパルスオキシメータデータを取得するパルスオキシメータモジュールと、
１つ又は複数のセンサと、
クロックと、
ユーザが、取得された前記第１の患者のパルスオキシメータデータへの１つ又は複数のマーカ及び当該１つ又は複数のマーカに対応する１つ又は複数のタイムスタンプを入力することを可能にするためのユーザインターフェースを備えるディスプレイユニットと、
前記第１の患者が、取得された前記第１の患者のパルスオキシメータデータを理解することを可能にするために、取得された前記第１の患者のパルスオキシメータデータを簡略化するアルゴリズムを実施するプロセッサと、を含み、
前記クラウドネットワークに接続される前記遠隔サーバは、ネットワークベースソフトウェアと、ネットワーク患者データベースと、ネットワークコミュニティデータベースとを含み、
前記遠隔サーバと、前記通信モジュールを介して前記パルスオキシメータデバイスとに接続される前記クラウドネットワークは、前記遠隔サーバと前記パルスオキシメータデバイスとの間の通信を可能にし、
前記パルスオキシメータ患者データベースは、診断された前記第１の患者の状態、前記１つ又は複数のマーカを有する取得された前記第１の患者のパルスオキシメータデータ、及び取得され簡略化された前記第１の患者のパルスオキシメータデータに対応するデータベースデータを備える、システム。
【請求項２】
前記パルスオキシメータモジュールは、前記第１の患者の身体の部位に取り付け可能である、請求項１に記載のシステム。
【請求項３】
前記第１の患者のパルスオキシメータデータは、血中酸素飽和度、灌流指標、脈拍数、及びこれらの組み合わせから選択される、請求項１に記載のシステム。
【請求項４】
前記１つ又は複数のマーカは、前記第１の患者に与えられた食物のタイプ、前記第１の患者に与えられた食物の量、前記第１の患者に投与された薬物、前記第１の患者に与えられた液体、及びこれらの組み合わせから選択される前記第１の患者のコンテキストデータを示す、請求項１に記載のシステム。
【請求項５】
前記ディスプレイユニットは、取得された前記第１の患者のパルスオキシメータデータを経時グラフとして表示する、請求項１に記載のシステム。
【請求項６】
前記ディスプレイユニットは、前記ユーザが、前記第２の患者のパルスオキシメータデータを選択することを可能にする、請求項１に記載のシステム。
【請求項７】
前記ディスプレイユニットは、前記第２の患者のパルスオキシメータデータを、前記１つ又は複数のマーカを有する取得された前記第１の患者のパルスオキシメータデータと共に表示する、請求項６に記載のシステム。
【請求項８】
前記ディスプレイユニットは、前記ユーザが前記第１の患者の確定的な診断を入力することを可能にする、請求項７に記載のシステム。
【請求項９】
前記アルゴリズムは、取得された前記第１の患者のパルスオキシメータデータの統計的傾向のデータを計算することを可能にする、請求項１に記載のシステム。
【請求項１０】
前記統計的傾向のデータは、フィルタを使用することによって計算され、前記フィルタは、移動平均フィルタ又は平滑化フィルタのうちの少なくとも一方である、請求項９に記載のシステム。
【請求項１１】
前記遠隔サーバは、前記データベースデータを受信し、前記ネットワーク患者データベース、前記ネットワークコミュニティデータベース又はその両方をアップデートする、請求項８に記載のシステム。
【請求項１２】
前記通信モジュールは、無線通信モジュールであること、
前記メモリは、内部データストレージデバイス、又は、リムーバブルメモリデバイスであること、
前記ディスプレイユニットは、フレキシブルディスプレイであること、及び
前記電源は、前記パルスオキシメータデバイス内部に組み込まれたバッテリ、又は、薄膜有機太陽電池を備えたフレキシブルリチウムポリマー電源であること、
のうちの少なくとも１つである、請求項１に記載のシステム。
【請求項１３】
第１の患者のパルスオキシメータデータを、以前にデータベースに保存された第２の患者のパルスオキシメータデータと比較する方法であって、前記方法は、
ユーザインターフェースを有するパルスオキシメータデバイスを用いて前記第１の患者のパルスオキシメータデータを取得するステップと、
取得された前記第１の患者のパルスオキシメータデータの１つ又は複数のセグメントに対する１つ又は複数のマーカを、前記ユーザインターフェースを介して入力するステップと、
取得された前記第１の患者のパルスオキシメータデータを、前記１つ又は複数のマーカと共に表示するステップと、
前記パルスオキシメータデバイスのパルスオキシメータ患者データベース内に、前記１つ又は複数のマーカを有する取得された前記第１の患者のパルスオキシメータデータを保存するステップと、
前記パルスオキシメータ患者データベースに以前に保存された前記第２の患者のパルスオキシメータデータを、前記ユーザインターフェースを介して選択するステップであって、前記第２の患者のパルスオキシメータデータは、既知の状態に対応するステップと、
前記１つ又は複数のマーカを有する取得された前記第１の患者のパルスオキシメータデータ及び前記第２の患者のパルスオキシメータデータに基づいて前記第１の患者の状態を診断するステップと、
前記第１の患者が、取得された前記第１の患者のパルスオキシメータデータを理解することを可能にするために、取得された前記第１の患者のパルスオキシメータデータを簡略化するステップと、
診断された前記第１の患者の状態、及び取得され簡略化された前記第１の患者のパルスオキシメータデータをパルスオキシメータデバイス上に表示するステップと、
診断された前記第１の患者の状態、前記１つ又は複数のマーカを有する前記第１の患者のパルスオキシメータデータ、及び取得され簡略化された前記第１の患者のパルスオキシメータデータに対応するデータベースデータをアップロードすることによってデータベースをアップデートするステップと、を含む、方法。
【請求項１４】
前記ユーザインターフェースを介して、前記１つ又は複数のマーカに対応する１つ又は複数のタイムスタンプを入力するステップをさらに含む、請求項１３に記載の方法。
【請求項１５】
前記１つ又は複数のマーカは、前記第１の患者に与えられた食物のタイプ、前記第１の患者に与えられた食物の量、前記第１の患者に投与された薬物、前記第１の患者に与えられた液体、及びこれらの組み合わせから選択される前記第１の患者のコンテキストデータを示す、請求項１３に記載の方法。
【手続補正書】
【提出日】令和1年10月21日(2019.10.21)
【手続補正１】
【補正対象書類名】特許請求の範囲
【補正対象項目名】請求項１０
【補正方法】変更
【補正の内容】
【請求項１０】
患者モニタを提供し、
前記超音波コントローラを前記患者モニタに内蔵し、
前記超音波トランスデューサを、有線接続と無線接続の一方を介して前記患者モニタに接続する、
請求項９に記載の方法。
【手続補正２】
【補正対象書類名】特許請求の範囲
【補正対象項目名】請求項１１
【補正方法】変更
【補正の内容】
【請求項１１】
フィールドプログラマブルゲートアレイ（ＦＰＧＡ）、高電圧源、送信器、Ｔ／Ｒスイッチ、低ノイズ増幅器（ＬＮＡ）、プログラマブルゲイン増幅器（ＰＧＡ）、差動増幅器、バンドパスフィルタ（ＢＰＦ）、アナログデジタル変換器（ＡＤＣ）、トランスデューサコネクタ、および通信インターフェースコネクタを前記超音波コントローラに設ける、請求項９または１０に記載の方法。 
【手続補正３】
【補正対象書類名】明細書
【補正対象項目名】００１４
【補正方法】変更
【補正の内容】
【００１４】
ＩＣＰモニタリングにおける別の問題は、ＩＣＰと頭蓋内容積の関係にある。図２は、ＩＣＰと頭蓋内容積の関係曲線を示している。外傷性脳損傷に係るガイドラインは、ＩＣＰを２０〜２５ｍｍＨｇ未満とするように示している（非特許文献１を参照）。しかしながら、図２に示されるように、頭蓋内容積が徐々に増しても、同図に矢印で示される臨界点までは、ＩＣＰの値はほぼ一定である。臨界点を過ぎると、ＩＣＰは急激に増加する。したがって、ＩＣＰを２０ｍｍＨｇ未満に維持することは難しい。よって、ＩＣＰが上昇する前の脳状態を評価できる新たな方法と装置が希求されている。 
【手続補正４】
【補正対象書類名】明細書
【補正対象項目名】００２７
【補正方法】変更
【補正の内容】
【００２７】
本開示の別態様によれば、患者の脳膨張を判断する方法は、前記判断に際して次式を用いて脳組織の変位を計算することを含みうる。
変位’（ｔ）＝θ’（ｔ）λ／２／２π−θ’（ｔ０）λ／２／２π             
θ’（ｔ）＝ａｒｇ［ＩＱデータ（ｔ）−ＩＱ中心点］    
ここで、変位’（ｔ）は、ＩＱデータに基づく組織変位（膨張／移動）であり、θ’（ｔ）は、ＩＱ中心点からのＩＱプロット偏角（ＩＱ位相角）であり、ＩＱデータ（ｔ）は、時刻ｔにおけるＩＱデータであり、ＩＱ中心点は、ＩＱ軌跡の中心点である。 
【手続補正５】
【補正対象書類名】明細書
【補正対象項目名】００５５
【補正方法】変更
【補正の内容】
【００５５】
この場合、時刻０からｔまでの正しい脳組織変位は、次式を用いて計算される。
変位’（ｔ）＝θ’（ｔ）λ／２／２π−θ’（ｔ０）λ／２／２π      （３）
θ’（ｔ）＝ａｒｇ［ＩＱデータ（ｔ）−ＩＱ中心点］           （４）
ここで、変位’（ｔ）は、ＩＱデータに基づく組織変位（膨張／移動）［μｍ］であり、θ’（ｔ）は、ＩＱ中心点からのＩＱプロット偏角（ＩＱ位相角）であり、ＩＱデータ（ｔ）は、時刻ｔにおけるＩＱデータであり、ＩＱ中心点は、ＩＱ軌跡の中心点である。
【手続補正６】
【補正対象書類名】明細書
【補正対象項目名】００６７
【補正方法】変更
【補正の内容】
【００６７】
結果
ヴァルサルヴァ法
図１０から図１２は、ヴァルサルヴァ法が行なわれている間の脳組織データを示している。頭表面からの測定深度は、それぞれ２５ｍｍ、５０ｍｍ、および７５ｍｍである。 
【手続補正７】
【補正対象書類名】明細書
【補正対象項目名】００６９
【補正方法】変更
【補正の内容】
【００６９】
仰臥位（−２０度）
図１３から図１５は、仰臥位である間の脳組織データを示している。頭表面からの測定深度は、それぞれ２５ｍｍ、５０ｍｍ、および７５ｍｍである。 
【手続補正８】
【補正対象書類名】明細書
【補正対象項目名】００７５
【補正方法】変更
【補正の内容】
【００７５】
コントローラは、脳組織の自身に対する位置関係のより正確な判断（すなわち、脳膨張などを判断するための、第一目標脳組織の第二目標脳組織に対する位置変化量の判断）を提供するために、他のセンサにも接続されうる。例えば、加速度計が患者の頭部と胸部（胸骨上）の少なくとも一方に装着されうる。これにより、これら二つの身体領域の位置と動きがモニタされる。当該動きは、二つの目標脳組織間の位置関係や目標脳組織と右心房の間のエレベーション（圧力の基準に使用されうる）をより正確に計算するために使用されうる。より具体的には、頭蓋骨と胸骨上に配置された加速度計が、右心房と測定対象の身体部位（頭蓋骨や脳など）との間の相対高度差を判断するために使用されうる。加えて、呼吸センサと肺センサの少なくとも一方がコントローラと接続されうる。これにより、呼吸機能と肺機能の少なくとも一方に係る情報が、二つの目標脳組織の間の位置関係をより正確に計算するために、そして膨張の存在をより正確に判断するために使用されうる。一例として、呼吸センサと肺センサの少なくとも一方は、加速度計と心電図センサのいずれかと組み合わせられうる。近年、絆創膏のようにユーザの頭部に装着し、特にスポーツ時における頭部の加速度をリアルタイムにモニタするために加速度データを無線送信する超小型回路パッチが利用可能になっている。加速度計は、そのような超小型回路を同様に備えるように構成可能と考えられる。加えて、脳組織の膨張は比較的小さい一方で患者の解剖学的ジオメトリの間には大きなばらつきがあるので、膨張と位置の測定および計算の精度を確実に高めるために、ベースラインデータの使用が助けになる。例えば、アスリートについて、頭蓋骨と脳の位置データを含むベースラインデータが収集されることがある。この種のベースライン情報は、ベースライン情報を入手可能な特定の患者への本開示に係るシステム／装置の使用中において、精度を上げるために利用されうる。